(57)【要約】【課題】シート内の送信画像の形成範囲を確認することができ、確認した形成範囲に基づいて原稿を作成することにより、ＦＡＸ送信時の原稿の周縁部分の欠落を防止できる画像送信装置を提供する。【解決手段】シートに画像を形成する記録部１５と、シートよりも小さい形成範囲に形成される送信画像を送信するモデム１８とを備える複合機（画像送信装置）１０において、前記送信画像の形成範囲を示す画像をシートに形成させる。前記送信画像の形成範囲を示す画像として、シートの周縁よりも余白分及び発信元記録領域分小さい枠の画像を作成する。【選択図】図１
2007129355.tif 000002
【特許請求の範囲】
【請求項１】
シートに画像を形成する画像形成手段と、シートよりも小さい形成範囲に形成される送信画像を送信する画像送信手段とを備える画像送信装置において、
前記画像形成手段に、前記送信画像の形成範囲を示す画像をシートに形成させる画像形成制御手段を備えることを特徴とする画像送信装置。
【請求項２】
前記送信画像の形成範囲を示す画像として、シートの周縁よりも余白分小さい枠の画像を作成する画像作成手段を備えることを特徴とする請求項１記載の画像送信装置。
【請求項３】
前記送信画像には発信元記録が付加されており、
前記送信画像の形成範囲を示す画像として、シートの周縁よりも余白分及び発信元記録領域分小さい枠の画像を作成する画像作成手段を備えることを特徴とする請求項１記載の画像送信装置。
【発明の詳細な説明】
【技術分野】
【０００１】
本発明は、シートに画像を形成する画像形成手段と、シートよりも小さい形成範囲に形成される送信画像を送信する画像送信手段とを備える画像送信装置に関する。
【背景技術】
【０００２】
ＦＡＸ送信（ファクシミリ送信）又は複写印刷などで原稿の画像を読取る際に、原稿全体が正しく読取れていない場合、原稿全体をＦＡＸ送信又は複写印刷することができない。そのため、画像読取領域を見やすく表示する表示装置が提案されている（例えば、特許文献１参照）。
【特許文献１】特開平６−１９４７５１号公報
【発明の開示】
【発明が解決しようとする課題】
【０００３】
また、原稿を読取ってＦＡＸ送信を行う場合、余白を追加してＦＡＸ送信されたり、ＴＴＩ（発信元記録）を追加してＦＡＸ送信された場合、原稿の周縁部分の内容が欠落するという問題がある。図５（ａ）は原稿、図５（ｂ）及び（ｃ）はＦＡＸ送信画像の例を示す概略図である。図５（ａ）に示すように原稿の周縁いっぱいまで書込まれている場合は、図５（ｂ）に示すようにＦＡＸ送信画像の周縁部分の余白４２によって欠落が生じたり、図５（ｃ）に示すようにＦＡＸ送信画像の周縁部分の余白４２及びＴＴＩ領域４４によって欠落が生じる。
【０００４】
そのため、原稿の周縁部分には何も書込まないことが好ましい。しかし、ＦＡＸ送信画像は受信側で印刷されるが送信側で印刷されないため、送信者はＦＡＸ送信可能な領域を確認できないという問題があり、原稿周縁部分の内容の欠落を完全に防止できない。また、防止できる場合であっても、原稿に過剰な余白を設けたために枚数が増加するなど、原稿の使用効率を低下させている可能性がある。
【０００５】
本発明は斯かる事情に鑑みてなされたものであり、シートに画像を形成する画像形成手段を制御して、送信画像の形成範囲を示す画像をシートに形成させる画像形成制御手段を備えることにより、シート内の送信画像の形成範囲を確認することができる画像送信装置を提供することを目的とする。
【０００６】
また、本発明は、前記送信画像の形成範囲を示す画像として、シートの周縁よりも余白分小さい枠の画像を作成する画像作成手段を備えることにより、シートに送信画像を形成する場合の余白部分を確認することができる画像送信装置を提供することを他の目的とする。
【０００７】
また、本発明は、前記送信画像の形成範囲を示す画像として、シートの周縁よりも余白分及び発信元記録領域分小さい枠の画像を作成する画像作成手段を備えることにより、シートに送信画像を形成する場合の余白部分及び発信元記録領域を確認することができる画像送信装置を提供することを他の目的とする。
【課題を解決するための手段】
【０００８】
第１発明に係る画像送信装置は、シートに画像を形成する画像形成手段と、シートよりも小さい形成範囲に形成される送信画像を送信する画像送信手段とを備える画像送信装置において、前記画像形成手段に、前記送信画像の形成範囲を示す画像をシートに形成させる画像形成制御手段を備えることを特徴とする。
【０００９】
第２発明に係る画像送信装置は、第１発明において、前記送信画像の形成範囲を示す画像として、シートの周縁よりも余白分小さい枠の画像を作成する画像作成手段を備えることを特徴とする。
【００１０】
第３発明に係る画像送信装置は、第１発明において、前記送信画像には発信元記録が付加されており、前記送信画像の形成範囲を示す画像として、シートの周縁よりも余白分及び発信元記録領域分小さい枠の画像を作成する画像作成手段を備えることを特徴とする。
【００１１】
第１発明においては、シートに画像を形成する画像形成手段を画像形成制御手段によって制御し、送信画像の形成範囲を示す画像をシートに形成させるため、送信者はシート内の送信画像の形成範囲を確認することができる。送信者は、シートに形成された送信画像の形成範囲に基づいて原稿を作成することにより、原稿の周縁部分の欠落を確実に防止できる。また、送信画像の形成範囲に基づいて、原稿の余白を最適に設定して原稿を有効に使用することができる。
【００１２】
第２発明においては、前記送信画像の形成範囲を示す画像として、シートの周縁よりも余白分小さい枠の画像を画像作成手段が作成するため、送信者はシートに送信画像を形成する場合の余白部分を確認することができる。送信者は、シートに形成された送信画像の形成範囲に基づいて原稿を作成することにより、原稿の周縁部分の欠落を確実に防止できる。
【００１３】
第３発明においては、前記送信画像の形成範囲を示す画像として、シートの周縁よりも余白分及び発信元記録領域分小さい枠の画像を画像作成手段が作成するため、送信者はシートに送信画像を形成する場合の余白部分及び発信元記録領域を確認することができる。送信者は、シートに形成された送信画像の形成範囲に基づいて原稿を作成することにより、原稿の周縁部分の欠落を確実に防止できる。
【発明の効果】
【００１４】
第１発明によれば、シート内の送信画像の形成範囲を確認することができる。シートに形成された送信画像の形成範囲に基づいて原稿を作成することにより、原稿の周縁部分の欠落を確実に防止できる。
【００１５】
第２発明によれば、シート内の送信画像の形成範囲を確認することができる。シートに送信画像を形成する場合の余白部分を確認することができる。
【００１６】
第３発明によれば、シート内の送信画像の形成範囲を確認することができる。シートに送信画像を形成する場合の余白部分及び発信元記録領域を確認することができる。
【発明を実施するための最良の形態】
【００１７】
以下、本発明をその実施の形態を示す図面に基づいて具体的に説明する。本実施の形態では、画像送信装置として、ファクシミリ，イメージスキャナ及びプリンタの機能を有する複合機を例にして説明を行う。
【００１８】
図１は本発明に係る複合機の構成例を示すブロック図である。複合機１０は、社内ＬＡＮ（Local Area Network）などの内部ネットワーク３０に接続されている。また、複合機１０は、電話回線網又はインターネットなどの外部ネットワーク３２に接続されている。
【００１９】
複合機１０は、主制御部１１、表示部１２、操作部１３、読取部１４、記録部１５、コーデック１６、変換部１７、モデム１８、ＮＣＵ（Network Control Unit）１９、ＬＡＮインタフェイス２０、画像メモリ２１、ＲＯＭ２２、ＲＡＭ２３及び蓄積部２４を備え、夫々バス２９に接続されている。複合機１０の前記各部１２〜２４はＣＰＵなどの主制御部１１によって制御される。
【００２０】
表示部１２は、ＬＣＤ（液晶表示装置）などの表示装置であり、主制御部１１の制御によって、複合機１０の動作状態の表示などを行う。操作部１３は、複合機１０に対する操作入力を受付ける装置であり、スタートキー、ストップキー、テンキー、短縮ダイヤルキー及びファンクションキー等の各種キーを備える。なお、タッチパネル方式の表示部１２を用いることにより、操作部１３の各種キーの一部又は全部を代用することも可能である。
【００２１】
モデム（画像送信手段）１８は、ファクシミリ通信が可能なファックスモデムであり、バス２９及びＮＣＵ１９と接続されている。ＮＣＵ１９は、外部ネットワーク３２と接続されており、必要に応じてモデム１８を外部ネットワーク３２と接続し、外部ネットワーク３２に接続された外部通信装置（図示せず）との間でファクシミリ通信などのデータ送受信を行う。ＬＡＮインタフェイス２０は、複合機１０を内部ネットワーク３０と接続するためのインタフェイスであり、内部ネットワーク３０に接続された装置との間でデータ送受信を行う。
【００２２】
ＲＯＭ２２は、主制御部１１が実行する種々のプログラム及びデータなどを格納しており、主制御部１１は、ＲＯＭ２２に格納されたプログラムを実行して複合機１０各部の制御を行う。ＲＡＭ２３は、ＳＲＡＭ又はフラッシュメモリ等で構成され、主制御部１１がプログラムを実行する際に使用する一時的なデータ又は各種設定データ等を記憶する。ＲＡＭ２３をフラッシュメモリで構成した場合、複合機１０の各種設定データなどを電源切断時も保持できる。
【００２３】
読取部１４は、例えばＣＣＤ（Charge Coupled Device）を備えたイメージスキャナであり、原稿を読取って画像データを出力する。画像メモリ２１は、ＤＲＡＭ等で構成され、読取部１４が読取った原稿の画像データを記憶する。また、画像メモリ２１は、内部ネットワーク３０又は外部ネットワーク３２を介してＬＡＮインタフェイス２０又はＮＣＵ１９が受信した画像データを記憶する。また、画像メモリ２１に記憶された画像データを、ＬＡＮインタフェイス２０又はＮＣＵ１９から送信することも可能である。記録部（画像形成手段）１５は、電子写真方式のプリンタであり、画像メモリ２１に記憶された画像データに基づく画像をシート（記録紙）に記録する。
【００２４】
コーデック１６は、ファクシミリ送信する画像データの符号化及びファクシミリ受信した画像データの復号などの符号化及び復号を行う。変換部１７は、ファクシミリ送信を行う画像データ形式から電子メール形式への変換及び電子メール形式からファクシミリ受信する画像データ形式への変換などのデータ変換を行う。
【００２５】
蓄積部２４は、読取部１４で読取った画像データ又はファクシミリ受信した画像データなどを蓄積する。例えば画像メモリ２１に記憶された画像データが、主制御部１１の制御によって、蓄積部２４に蓄積される。蓄積部２４として、フラッシュメモリ又はハードディスク装置を用いることが可能である。
【００２６】
モデム１８は、シートよりも小さい形成範囲に形成される送信画像を送信するが、本発明では、主制御部１１（画像形成制御手段）の制御によって、記録部１５に、送信画像の形成範囲（以下、送信画像範囲という）を示す画像をシートに形成させる。送信画像範囲を示す画像として、主制御部（画像作成手段）１１は、シートの周縁よりも余白分小さい枠の画像を作成したり、シートの周縁よりも余白分及び発信元記録（ＴＴＩ）領域分小さい枠の画像を作成する。
【００２７】
シートに送信画像を形成する場合の余白の設定値及びＴＴＩ領域の設定値は、例えばＲＯＭ２２に予め記憶されており、主制御部１１は、前記余白の設定値及びＴＴＩ領域の設定値に基づいて、シート上の送信画像範囲に対応する枠の画像を作成し、画像メモリ２１に一旦記憶して、記録部１５に形成させる。また、送信画像範囲を示す画像のシートへの形成指示は、操作部１３で受付ける。
【００２８】
図２（ａ）及び（ｂ）は送信画像範囲に対応する枠の画像の例を示す概念図であり、図２（ａ）はシート周縁から余白分小さい送信画像範囲に対応する枠３２の画像であり、図２（ｂ）は図２（ａ）に示す画像に、「ＦＡＸ送信の有効な範囲です」という文字画像を合成した画像である。図２（ａ）に示す画像は、主制御部１１が、例えば送信画像範囲の周縁部のビットを“１”（他の部分は“０”）にして作成する。図２（ｂ）の画像は、主制御部１１が、例えば予めＲＯＭ２２に記憶されているメッセージ（図の例では「ＦＡＸ送信の有効な範囲です」）をビットマップ展開して画像化し、図２（ａ）に示す画像と合成する。
【００２９】
図３（ａ）及び（ｂ）はＴＴＩ領域を考慮した送信画像範囲に対応する枠の画像の作成例を示す概念図である。図３（ａ）はＴＴＩ領域のマスク処理の例を示す図であり、主制御部１１により、図２（ａ）に示す枠３２に対し、ＴＴＩ領域３４を白マスク化している。図３（ｂ）はマスク処理後のライン追加処理の例を示す図であり、主制御部１１により、図３（ａ）の白マスク化したＴＴＩ領域３４の最下段（周縁とは反対側）にラインを追加して新たな枠３６を作成している。図３（ｂ）に示す枠３６にも図２（ｂ）と同様の文字画像を合成することが可能である。
【００３０】
図４は送信画像範囲の印刷処理の例を示すフローチャートである。操作部１３が送信画像範囲を示す画像のシートへの形成指示を受付けた場合、主制御部１１は、実行画面を表示部１２に表示し（Ｓ１０）、原稿サイズを受付ける（Ｓ１２）。主制御部１１は、例えばＲＯＭ２２に予め記憶されている、シート上に送信画像を形成する場合の余白の設定値に基づいて、図２（ａ）に示したように、前記受付けた原稿サイズに応じた送信画像範囲に対応する枠の画像を作成し（Ｓ１４）、画像メモリ２１に記憶する。
【００３１】
ＴＴＩありの場合（Ｓ１６：ＹＥＳ）は、主制御部１１により、図３（ａ）に示したように、前記画像のＴＴＩ部分を白マスク化し（Ｓ１８）、図３（ｂ）に示したように、ＴＴＩ部分が送信画像範囲と接する部分にラインを追加して（Ｓ２０）、ＴＴＩを考慮した枠の画像を作成し、画像メモリ２１に記憶する。
【００３２】
枠の画像の作成後（Ｓ１６：ＮＯ、又は、Ｓ２０）、主制御部１１により、画像メモリ２１に記憶した前記画像に文字画像（例えば「ＦＡＸ送信の有効な範囲です」）を追加（合成）した後（Ｓ２２）、記録部１５を制御してシートにプリントする（Ｓ２４）。
【００３３】
プリントが行われたシートには送信画像範囲に対応する枠３２又は３６が形成されているため、枠３２又は３６に基づいて送信者が原稿を作成することにより、ＦＡＸ送信画像の周縁部分の欠落を確実に防止することができる。また、枠３２又は３６に基づいて原稿の余白を最適に設定することができ、例えば原稿に過剰な余白を設けたためにページ数が増えることを防止でき、原稿を有効に使用することができる。
【図面の簡単な説明】
【００３４】
【図１】本発明に係る複合機の構成例を示すブロック図である。
【図２】送信画像範囲に対応する枠の画像の例を示す概念図である。
【図３】ＴＴＩ領域を考慮した送信画像範囲に対応する枠の画像の作成例を示す概念図である。
【図４】送信画像範囲の印刷処理の例を示すフローチャートである。
【図５】（ａ）は原稿、（ｂ）及び（ｃ）はＦＡＸ送信画像の例を示す概略図である。
【符号の説明】
【００３５】
１０  複合機
１１  主制御部
１８  モデム
１９  ＮＣＵ
２０  ＬＡＮインタフェイス
２１  画像メモリ
２３  ＲＡＭ
２４  蓄積部
３０  内部ネットワーク
３２  外部ネットワーク
【図１】
2007129355.tif 000003
【図２】
2007129355.tif 000004
【図３】
2007129355.tif 000005
【図４】
2007129355.tif 000006
【図５】
2007129355.tif 000007